(57)【要約】【課題】「右打ち」されたパチンコ球を確実に、回転始動口方向に流下することのできるパチンコゲーム機を提供する。【解決手段】遊技者が「右打ち」を行うと、発射装置から発射されたパチンコ球５５は、レール１２に案内されて、矢印ｈ方向から飛翔して来る。ここで、第二のスライド部材７１は縁部４５から突出していないので、パチンコ球５５の通過を妨げない。次いで、パチンコ球５５が段差部１４に設けられた第一のスライド部材７２に衝突する。すると、第一のスライド部材７２が矢印Ｂ方向に押し込まれ、第一のスライド部材７２に固着された半歯車８０の矢印Ｂ方向への平行移動に伴って、歯車７３、半歯車７６、リンク７５、半歯車７７、歯車７８及び半歯車８２を介して第二のスライド部材７１が矢印Ｇ方向に移動され、縁部４５から第二のスライド部材７１が突出する。【選択図】図１０
2007296398.tif 000002
【特許請求の範囲】
【請求項１】
遊技盤上に、発射されたパチンコ球を案内するレールと、当該レールに沿って遊技領域内に打ち込まれたパチンコ球の進路上に形成された当接面と、当該当接面で跳ね返ったパチンコ球が入賞可能な遊技球受入口とが形成されたパチンコゲーム機であって、
発射方向から前記レールに沿って飛来するパチンコ球の移動は妨げず、かつ、前記当接面に当たって跳ね返るパチンコ球が前記遊技球受入口方向へ流下するように案内するガイド部材を備え、
前記当接面は進退可能な第一のスライド部材から構成され、前記ガイド部材は前記レールの表面と交差する方向に進退可能に設けられた第二のスライド部材で構成され、前記第一のスライド部材の進退動作を前記第二のスライド部材に伝達する伝達機構と、前記第一のスライド部材を進出位置に付勢する付勢手段とを設けたことを特徴とするパチンコゲーム機。
【発明の詳細な説明】
【技術分野】
【０００１】
本発明は、遊技球を遊技領域右側に誘導させ得るパチンコゲーム機に関する。
【背景技術】
【０００２】
パチンコ遊技者が激増する今日においては、その遊技者の好奇心に応えるべく様々な遊技方法によるパチンコゲーム機が開発されている。そのようなパチンコゲーム機のうちの一つに、遊技中にある所定状態を達成し得た場合に、ハンドルを最大限回転させて遊技領域を囲むレールに沿った右肩部に形成された段差部分にパチンコ球を当てること（以下、「右打ち」という）で、多くの賞球が得られることを特徴とするものがある。図１４は、このようなパチンコゲーム機の遊技領域を示した正面図である。以下、これを簡単に説明する。
【０００３】
遊技領域１０１は、その周りを囲むように環状のレール１０２が遊技盤に立設され、そのほぼ中央に図柄表示装置１０３が配設され、その廻りに各種入賞装置、ゲート、それに誘導部材などの各種構造物が配設され、更に遊技領域１０１内に発射されたパチンコ球を案内する複数の釘が打設されている。
【０００４】
そして、本パチンコゲーム機の特徴的な遊技方法を達成すべく、具体的に次のような構成を有する。即ち、遊技領域１０１の右肩部に位置するレール１０２に段差部１０４ａが形成され、そこに返しゴム１０４が貼設されている。その段差部１０４ａの下方には、一定の速度で回転する回転体１０５ａに開口部が形成された遊技球受入口たる回転始動口１０５が設けられている。更にその下方には、回転始動口１０５への入賞によって開閉扉が開口する大入賞口１０６ａを有する特別電動役物１０６が配設されている。一方、図柄表示装１０３の直下には、その図柄表示装置１０３を作動させるゲート１０７及び、その下方には入賞口内に特定入賞口１０８ａが形成された普通電動役物１０８が配設されている。また、本パチンコゲーム機では、前述したように「右打ち」に特徴を有するが、特に「右打ち」されたパチンコ球が高い確率で回転始動口１０５に入賞するよう釘が打設されている。
【０００５】
従って、このような構成のパチンコゲーム機では、遊技領域１０１内にパチンコ球が打ち込まれて、それがゲート１０７を通過することによって図柄表示装置１０３が作動し表示変動が実行される。そこで、３分割された表示器の図柄が１１１、２２２…等のようにそろった場合には、「当たり」状態となって普通電動役物１０８の開閉扉が開口する。そして、更に発射されるパチンコ球が普通電動役物１０８の特定入賞口１０８ａに入賞したならば「大当たり」状態となる。
【０００６】
そこで、この「大当たり」状態が本パチンコゲーム機の特徴的な遊技方法となる。即ち、「大当たり」の時に「右打ち」をすることによってパチンコ球が回転始動口１０５へ入賞すると、それを検出して大入賞口１０６ａの開閉扉が開口し、多くの賞球を獲得することが可能となる。
【０００７】
この場合、回転始動口１０５は、回転体１０５ａの枠部材１０５ｂの切欠部１０５ｃにパチンコ球が掛かるように構成されている。そのため、回転始動口１０５と切欠部１０５ｃとが図示するように重なっていない場合でも、パチンコ球は枠部材１０５ｂに掛かった状態で待ち、回転始動口１０５がそこまで回転してきたところで入賞する。従って、打設された釘の配置及び回転始動口１０５の構造により、パチンコ球を容易に回転始動口１０５へ入賞させることができる。
【０００８】
パチンコ球が回転始動口１０５へ入賞すると大入賞口１０６ａが開口し、その後、連続して行われる「右打ち」によってパチンコ球の多くが大入賞口１０６ａに入賞する。ここで、回転始動口１０５への入賞によって１５個の賞球が支出され、大入賞口１０６ａでは１個の入賞に対して１５個の賞球が支出される。
【発明の開示】
【発明が解決しようとする課題】
【０００９】
ところで、本パチンコゲーム機は、前述したように「当たり」に続いて「大当たり」の状態を達成することによって「右打ち」を使用し、これによって回転始動口１０５への入賞により大入賞口１０６ａを開口し、多くの入賞によって賞球を獲得する遊技方法を意図した構成としたものである。
【００１０】
しかしながら、このような構成によるパチンコゲーム機では、その特徴である「右打ち」がうまく行われない問題点が生じた。即ち、「右打ち」を行って前記レール１０２の段差部１０４ａに貼付された返しゴム１０４にパチンコ球を当てても、パチンコ球の勢いが強すぎる場合には、パチンコ球が強く跳ね返って、図８に矢印Ｍで示す回転始動口１０５方向に流下しない場合が生じていた。かかる場合には、普通電動役物１０８の普通電動役物口１０８ａに入賞することによって「大当たり」の状態を達成し得たにも関わらず、「右打ち」がうまく行かずに遊技者が苛々する原因となっていた。
【００１１】
そこで、本発明は、かかる問題点を解消すべく、「右打ち」されたパチンコ球を確実に、回転始動口方向に流下することのできるパチンコゲーム機を提供することを目的とする。
【課題を解決するための手段】
【００１２】
上記の目的達成のため、本発明のパチンコゲーム機は、遊技盤上に、発射されたパチンコ球を案内するレールと、当該レールに沿って遊技領域内に打ち込まれたパチンコ球の進路上に形成された当接面と、当該当接面で跳ね返ったパチンコ球が入賞可能な遊技球受入口とが形成されたパチンコゲーム機であって、発射方向から前記レールに沿って飛来するパチンコ球の移動は妨げず、かつ、前記当接面に当たって跳ね返るパチンコ球が前記遊技球受入口方向へ流下するように案内するガイド部材を備え、前記当接面は進退可能な第一のスライド部材から構成され、前記ガイド部材は前記レールの表面と交差する方向に進退可能に設けられた第二のスライド部材で構成され、前記第一のスライド部材の進退動作を前記第二のスライド部材に伝達する伝達機構と、前記第一のスライド部材を進出位置に付勢する付勢手段とを設けている。
【００１３】
上記構成を有する発明のパチンコゲーム機によれば、ハンドルを回転させて図示外の発射装置から発射されたパチンコ球は、前記レールに沿って遊技領域内に打ち込まれ、パチンコ球の進路上に形成された当接面に向かって飛翔する。また、常には、当接面を構成する第一のスライド部材は進出するように付勢手段に付勢され、この状態で第二のスライド部材は伝達機構によりレールの表面から突出しないように保持されている。そして、第一のスライド部材にパチンコ球が衝突し、当該第一のスライド部材が押し込まれると、第一のスライド部材の動きを伝達機構が第二のスライド部材に伝達し、第二のスライド部材がレールの表面から突出する。従って、パチンコ球が発射方向から通過する時には、第二のスライド部材はレールの表面から退避され、パチンコ球が当接面を構成する第一のスライド部材に衝突した後は、第二のスライド部材がレールの表面から突出されて、この第二のスライド部材で跳ね返ったパチンコ球が遊技球受入口方向へ流下するように案内される。
ここで、「発射方向」とは、図示外の発射装置の方向、即ち、パチンコ球が発射されて来る上流方向をいう。
【００１４】
これにより、本発明のパチンコゲーム機では、所定状態を達し得た場合に、ハンドルを最大限回転させて発射した場合のパチンコ球が、レールに沿って遊技領域内に打ち込まれたときに、当該パチンコ球の進路上に形成された第一のスライド部材に衝突した後、第二のスライド部材で跳ね返って、遊技球受入口の１つたる回転始動口の方向だけへ流下させることを可能にすることができる。即ち、「右打ち」されたパチンコ球を第一スライド部材と第二スライド部材により確実に回転始動口方向へ流下させることが可能になる。
【発明を実施するための最良の形態】
【００１５】
次に、本発明にかかるパチンコゲーム機の一実施の形態について図面を参照して説明する。本実施の形態のパチンコゲーム機は、前記従来のパチンコゲーム機を基本としたものであり、その構成及び作用はほぼ同様なものであるが、ここでは更にその詳細について説明する。図１は、本実施の形態のパチンコゲーム機全体を示した正面図である。
【００１６】
パチンコゲーム機１は、後述する入賞口、図柄表示装置、電動役物及び、ゲート等の各種構造物が遊技盤２上に配設されている。その遊技盤２の下には、不図示の樋を介して支出される賞球を受ける上部受け皿３がスピーカ３ａを内蔵してプレート４に配設されている。そして、その上部受け皿３の下には、下部受け皿５が配設され、その下部受け皿５に連通する図示外の球送り機構を介して下部受け皿５のパチンコ球がハンドル６に連結された図示外の発射装置へ送られるよう構成されている。
【００１７】
一方、遊技盤２の周りには、遊技中のエラーを表示するエラー表示ランプ７や「当たり」を表示する当たり表示ランプ８ａ，８ｂが設けられている。また、遊技盤２を囲んだ枠９内には、両肩部に賞球及び球切れ表示ランプ１０ａ，１０ｂが設けられている。
【００１８】
次に、本実施の形態のパチンコゲーム機における遊技盤２上の遊技領域の構成について説明する。図２は、パチンコゲーム機の遊技領域を示した正面図である。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内するためのレール１２を重複して形成した案内路１３をも構成し、右肩部にはレール１２に沿って打ち込まれるパチンコ球の進行を制限するための段差部１４を有する。そして、その段差部１４には返しゴム１５が貼設されている。なお、レール１２の外側には、縁部４５が形成されている。
【００１９】
遊技領域１１のほぼ中央には、図柄表示装置１６が配設されている。また、図柄表示装置１６は、頂部に入賞口１７が形成され、遊技盤２の裏面の不図示の賞球樋に連通され、両肩部には図柄表示装置１６を通過する通過口（不図示）が形成されている。
【００２０】
そして、図柄表示装置１６の右側には、遊技球受入口の１つたる回転始動口１８ａが設けられている。この回転始動口１８ａは、１周期約１１．８秒の速さで左廻りに回転する回転体１８に形成されたものである。回転体１８の周りには、上方に回転始動口１８ａの大きさに合わせた切欠部１９ａが形成された枠部材１９が設けられている。また、この回転始動口１８ａ内には、パチンコ球の通過を検出するための図示外の球検出スイッチが設けられている。
【００２１】
一方、図柄表示装置１６の左側には入賞口２０が設けられている。そして、図柄表示装置１６の両肩側には電飾ランプ付きの風車２１，２２が、また入賞口２０と図柄表示装置１６との間には通常の風車２３が設けられ、図柄表示装置１６と回転体１８の間には通常の風車２４が設けられている。また、図柄表示装置１６の直下には、中央下入賞口２５が配設されている。中央下入賞口２５は、パチンコ球の通過を検出する図示外の検出スイッチが備えられ、この中央下入賞口２５をパチンコ球が通過することを検出することで図柄表示装置１６に特別の図柄の表示を開始させる。
【００２２】
そして、回転始動口１８ａの下方には、大入賞口２６ａが形成された特別電動役物２６が配設されている。大入賞口２６ａは、横幅を持った上方に開口する開閉扉２６ｂが、後述する所定状態の下で回転始動口１８ａにパチンコ球が入った場合に、図示外のソレノイドによって開口するよう構成されている。一方、この特別電動役物２６と対称的な位置には、入賞口２０の下方に電飾ランプを施した入賞口２７が配設されている。更に、中央の図柄表示装置１６下方には、前記中央下入賞口２５、中央ゲート２８、そして普通電動役物２９が配設されている。
【００２３】
普通電動役物２９は、横長に形成された大きな開口部に長方形の開閉扉２９ａが不図示のソレノイドによって上方に開口するように構成されている。開閉扉２９ａを開いた普通電動役物２９内には凹室が形成され、そこには中央に一段低い特定入賞口３０が、そしてその左右には一般入賞口３１ａ，３１ｂが設けられている。そして、これらの特定入賞口３０には、そこを通過するパチンコ球を検出するための図示外の特別入賞検出スイッチが配設されている。また、普通電動役物２９の特定入賞口３０内には上下に移動するストッパ３２が設けられている。ところで、開閉扉３０は、特別図柄表示器１６の図柄が所定状態を達成した場合（例えば、数字が１１１のようにそろった場合等）に開かれる。ストッパ３２は、特定入賞口３０に入賞しようとする１個のパチンコ球を開口部で一定時間停留させるよう流下する。そして、普通電動役物２９の直下にはレール１２に沿ってアウト口３３が開設されている。更に、レール１２に囲まれたこのような遊技領域１１には、前記各構成物とともに複数の釘が打設されてパチンコ球の複雑な流路を構成している。
【００２４】
ところで、本本実施の形態のパチンコゲーム機は、前記従来例のものと同様、ハンドル６をいっぱいに回転させて発射するパチンコ球５５をレール１２の段差部１４に当てるいわゆる「右打ち」に特徴を有するものである。従って、段差部１４の返しゴム１５に当たったパチンコ球は、その後図の点線Ａで示すように誘導されて回転始動口１８ａに高い確率で入賞するように釘が打設されている。
【００２５】
次に、本発明のパチンコゲーム機の第一の実施の形態であるガイド部材３５の構成について図２及び図３を参照して説明する。
【００２６】
前記段差部１４とレール１２の先端部１２ａとの間の縁部４５の裏面には、ガイド部材３５が配設され、当該縁部４５に開設された開口部３８からガイド部材３５の板ばね３７が遊技領域１１内に突出している。このガイド部材３５は、図４の底面図、図５の正面図に示すように、樹脂により構成された基部３６と当該基部３６にはめ込まれた板バネ３７により構成されている。
【００２７】
板ばね３７は、ステンレス板をくの字状に屈曲させて基部３６に固着したものであり、基部３６には、ねじ穴３６ａ，３６ｂが形成されており、遊技盤２の裏面からこのねじ穴３６ａ，３６ｂに図示外の固定ねじをねじ込むことによって、基部３６の長手方向をレール１２と平行にしてレール１２の表面と同一面を形成するようにして固定されている。また、基部３６により保持される板ばね３７は、屈曲部３７ａをパチンコ球の飛翔の上流方向、即ち、図示外の発射装置の方向（発射方向）に向けて配設されている。ここで、板ばね３７は、レール１２の表面に対して鋭角で傾斜している。
【００２８】
次に、このガイド部材３５の板ばね３７の動作を説明する。先ず、遊技者が図１に示すハンドル６を右に回転限度一杯まで回転させて「右打ち」を行うと、図示外の発射装置から発射されたパチンコ球５５は、図３に示すように、レール１２の表面に案内されて、ガイド部材４５の板ばね３７の所まで飛翔してくる。このとき、板ばね３７は、図３に示すように、レール１２の表面に対して、鋭角で傾斜しており、かつ、弾性変形可能なばね部材であるので、パチンコ球５５の接触により、縁部４５方向に弾性変形し、パチンコ球５５の通過を妨げない。次いで、パチンコ球５５は段差部１４の返しゴム１５に衝突して跳ね返る。このとき、ガイド部材４５の板ばね３７は、元の状態に復帰しているので、図３に示すように、パチンコ球５５を矢印Ａ方向に跳ね返し、パチンコ球５５は回転始動口１８ａ方向に流下される。従って、「右打ち」が確実にでき、パチンコ球５５が、回転始動口１８ａ以外の方向へ流下されることがなくなる。
【００２９】
次に、図６及び図７を参照して、本発明の第二の実施の形態のガイド部材４０の構成について説明する。ここで、図６は、パチンコゲーム機１の遊技領域１１の部分拡大図、図７は第二の実施の形態のガイド部材４０の平面図である。ガイド部材４０は、樹脂製の基部４１とステンレス製の板ばね４２とから構成されており、基部４１の中央部上側には、貫通穴４３が形成されている。段差部１４及びレール１２の先端部１２ａの近傍の遊技盤２の表面に垂直に立設された軸４４が前記貫通穴４３に貫通され、ガイド部材４０は回動可能に軸支されている。貫通穴４３は基部４１の中央より上側に偏心しているので、常には、基部４１の端部４１ａが重力により垂下し、基部４１により保持される板ばね４２の先端部は、前記レール１２の先端部１２ａと前記段差部１４との間の縁部４５に接している。
【００３０】
この状態で、遊技者が「右打ち」を行うと、図示外の発射装置から発射されたパチンコ球５５は、レール１２に案内されて、図６に示す矢印ｈ方向からガイド部材４０の板ばね４２に衝突する。このとき、ガイド部材４０は、軸４４を回動中心として時計回りに回転して、パチンコ球５５の通過を妨げない。次いで、パチンコ球５５は段差部１４の返しゴム１５に衝突して跳ね返る。このとき、ガイド部材４０は基部４１の自重により軸４４を回動中心として反時計回り回転し、板ばね４２の先端が縁部４５に接触してした状態で止まっている。この状態で、パチンコ球５５が板ばね４２に衝突しても、板ばね４２の先端が縁部４５に接触しているので、ガイド部材４０は回転せず、パチンコ球５５は板ばね４２により矢印Ａ方向に跳ね返されて、回転始動口１８ａ方向に流下される。従って、「右打ち」が確実にでき、パチンコ球５５が、回転始動口１８ａ以外の方向へ流下されることがなくなる。
【００３１】
次に、図８を参照して、本発明の第三の実施の形態のガイド部材５０の構成について説明する。ここで、図８は、パチンコゲーム機１の遊技領域１１の部分拡大図である。ガイド部材５０は、樹脂により一体形成されており、平板５０ａと平板５０ａの上端部に形成された貫通穴５１とから構成されている。レール１２の先端部１２ａの近傍の縁部４５には軸穴５３が形成され、軸穴５３内には軸５２が遊技盤２の表面に垂直に立設され、軸５２は前記貫通穴５１に貫通され、ガイド部材５０を回動可能に軸支している。
【００３２】
上記のガイド部材５０では、常には、重力により平板５０ａを鉛直下方に垂下しており、図８に示すように、軸穴５３の形状を平板５０ａが反時計回りに回動可能な形状に形成しているので、ガイド部材５０は、平板５０ａを垂下した状態から時計回りには回転できず、反時計回りにのみ回転可能である。
【００３３】
この状態で、遊技者が「右打ち」を行うと、図示外の発射装置から発射されたパチンコ球５５は、レール１２に案内されて、図８に示す矢印ｈ方向からガイド部材５０の平板５０ａに衝突する。このとき、ガイド部材５０は、軸５２を回動中心として反時計回りに回転して、パチンコ球５５の通過を妨げない。次いで、パチンコ球５５は段差部１４の返しゴム１５に衝突して跳ね返る。このとき、ガイド部材５０は平板５０ａの自重により軸５２を回動中心として時計回り回転し、平板５０ａが垂下された状態で止まっている。この状態で、パチンコ球５５が平板５０ａに衝突しても、図８において、軸穴５３の左縁部に平板５０ａの左側面に接触し、ガイド部材５０は回転しない、従って、パチンコ球５５は平板５０ａで矢印Ａ方向に跳ね返されて、回転始動口１８ａ方向に流下される。従って、「右打ち」が確実にでき、パチンコ球５５が、回転始動口１８ａ以外の方向へ流下されることがなくなる。
【００３４】
次に、図９を参照して、本発明の第四の実施の形態のガイド部材６０の構成について説明する。ここで、図９は、パチンコゲーム機１の遊技領域１１の部分拡大図である。本実施の形態では、ガイド部材６０は、ソレノイド６１及びパチンコ球検出用のマイクロスイッチ６２により構成され、マイクロスイッチ６２とソレノイド６０の間には図示外の直流電源が接続されている。ソレノイド６１は、レール１２の先端部１２ａと段差部１４との間の縁部４５の裏側に固定され、ソレノイド６１のプランジャ６３がパチンコ球を案内する縁部４５から進退可能に構成されている。ここで、プランジャ６３は常には縁部４５がら遊技領域１１へ進出した位置に保持されている。また、マイクロスイッチ６２は、レール１２の先端部１２ａの近傍の縁部４５の裏側に設けられ、マイクロスイッチ６２のアーム６４は、レール１２の先端部１２ａ近傍の縁部４５からパチンコ球の案内面に突出しており、パチンコ球の通過時にアーム６４が押されてマイクロスイッチ６２がＯＮとなり、ソレノイド６１に図示外の直流電源により電流が供給されて、プランジャ６３が退出位置、即ち、引き上げられた位置に移動される。
【００３５】
従って、遊技者が「右打ち」を行うと、図示外の発射装置から発射されたパチンコ球５５は、レール１２に案内されて、図９に示す矢印ｈ方向からマイクロスイッチ６２のアーム６４に衝突する。このとき、アーム６４は縁部４５方向に移動し、マイクロスイッチ６２がＯＮされ、図示外の直流電源からソレノイド６１に電流が供給されて、プランジャ６３は、縁部４５内に引き込まれる。従って、パチンコ球５５の通過は妨げられず、パチンコ球５５は段差部１４の返しゴム１５に衝突して跳ね返る。このとき、マイクロスイッチ６２は自動復帰型を用いているので、復帰してＯＦＦとなっているため、ソレノイド６１に電流が供給されず、プランジャ６３は、縁部４５から突出している。従って、パチンコ球５５はプランジャ６３で矢印Ａ方向に跳ね返されて、回転始動口１８ａ方向に流下される。従って、「右打ち」が確実にでき、パチンコ球５５が、回転始動口１８ａ以外の方向へ流下されることがなくなる。なお、返しゴム１５の背面に別個のマイクロスイッチを用いて、当該マイクロスイッチがＯＮされたことに基づいてソレノイド６１への電流の供給を遮断し、プランジャを元の位置に復帰させるようにしてもよい。
【００３６】
次に、図１０を参照して、本発明の第五の実施の形態のガイド部材７０の構成について説明する。ここで、図１０は、パチンコゲーム機１の遊技領域１１の部分拡大図である。本実施の形態では、ガイド部材７０は、レール１２の先端部１２ａ近傍の縁部４５に進退可能に設けられた第二のスライド部材７１と、段差部１４に進退可能に設けられた第一のスライド部材７２と、歯車７３，７８と、リンク７５とから構成されている。ここで、前記第一のスライド部材７２にはその長手方向に長穴７２ａが形成され、遊技盤２に垂直に立設された軸７９により摺動可能に支えられている。また、第一のスライド部材７２の長穴７２ａの上部には、半歯車８０が固着され、当該半歯車８０に、前記歯車７４が軸８１により回動可能に軸支されて噛合っている。
【００３７】
また、歯車７３には半円の錘７４が固着され、常には、歯車７３を錘７４が下になった状態で維持するように構成されている。さらに、リンク７５の右端部７５ａには半歯車７６が固着され、当該半歯車７６は歯車７３に噛合っており、リンク７５の左端部７５ｂには半歯車７７が固着され、当該半歯車７７は歯車７８に噛合っおり、歯車７８は、第二のスライド部材７１に固着された半歯車８２に噛合っている。さらに前記リンク７５には、長穴８３，８４が各々両端部に設けられ、軸８５，８６によりリンク７５は長手方向に摺動可能に支持されている。上記のガイド部材７０では、常には、前記歯車７３に固着した錘７４の働きにより、第一のスライド部材７２は突出した状態に付勢されている。このとき、第二のスライド部材７１は縁部４５から突出しない状態に、リンク７５及び各歯車７３，７６，７７，７８，８０，８２により保持されている。
【００３８】
次に、上記第五の実施の形態のガイド部材７０の動作について図１０を参照して説明する。遊技者が「右打ち」を行うと、図示外の発射装置から発射されたパチンコ球５５は、レール１２に案内されて、図１０に示す矢印ｈ方向から飛翔して来る。ここで、第二のスライド部材７１は縁部４５から突出していないので、パチンコ球５５の通過を妨げない。次いで、パチンコ球５５が段差部１４に設けられた第一のスライド部材７２に衝突する。すると、第一のスライド部材７２が矢印Ｂ方向に押し込まれ、第一のスライド部材７２に固着された半歯車８０の矢印Ｂ方向への平行移動に伴って、半歯車８０に噛合う歯車７３が矢印Ｃ方向に回動し、半歯車７６及び半歯車７６が固着されたリンク７５及びリンク７５の左端部に固着された半歯車７７が矢印Ｄ方向に移動し、半歯車７７に噛合う歯車７８が矢印Ｆ方向に回動し、当該歯車７８に噛合う半歯車８２及び第二のスライド部材７１が矢印Ｇ方向に移動され、縁部４５から第二のスライド部材７１が突出する。従って、パチンコ球５５は第二のスライド部材７１により跳ね返されて、回転始動口１８ａ方向に流下される。従って、「右打ち」が確実にでき、パチンコ球５５が、回転始動口１８ａ以外の方向へ流下されることがなくなる。
【００３９】
以上、五つの実施の形態について説明したが、本発明は、上記の実施の形態に限られず、各種の変形が可能であることは言うまでもない。
【００４０】
本発明の上記の実施の形態では、第三種特別電動役物付パチンコ機について説明したが、これ以外のパチンコ機について応用してもよい。また、回転始動口を用いなくても、図１１及び図１２（ａ），（ｂ）に示すように、ソレノイド式始動口９１や図１３に示す電動チューリップによる始動口９２を用いてもよい。尚、図１１はソレノイド式始動口９１を備えた遊技盤の正面図であり、図１２（ａ）は、パチンコ球９９がソレノイド式始動口９１に入賞する様子を示すソレノイド式入賞口９１の正面図であり、図１２（ｂ）は、ソレノイド式始動口９１の側面図である。ここで、ソレノイド式入賞口９１の背面（図１２（ｂ）での右側）には、ソレノイド９１ａが設けられ、プランジャ９１ｂが進退してパチンコ球９９の入賞を制限する。また、図１３は電動チューリップ９２を備えた遊技盤の正面図である。
【００４１】
さらに、上記の実施の形態の板ばね３７及び板ばね４２はステンレス板に限られず、樹脂、鋼、りん青銅等の弾性を有する材料であれば良い。本実施例では、「遊技球受入口」が回転始動口であるが、ゲート、チューリップ等であっても同様である。
【図面の簡単な説明】
【００４２】
【図１】本発明に係るパチンコゲーム機の一実施の形態を示した正面図である。
【図２】パチンコゲーム機の遊技領域を示した正面図である。
【図３】パチンコゲーム機の段差部の近傍の拡大正面図である。
【図４】第一の実施の形態のパチンコゲーム機に使用されるガイド部材の底面図である。
【図５】第一の実施の形態のパチンコゲーム機に使用されるガイド部材の正面図である。
【図６】第二の実施の形態のパチンコゲーム機の拡大正面図である。
【図７】第二の実施の形態のパチンコゲーム機に使用されるガイド部材の平面図である。
【図８】第三の実施の形態のパチンコゲーム機の拡大正面図である。
【図９】第四の実施の形態のパチンコゲーム機の拡大正面図である。
【図１０】第五の実施の形態のパチンコゲーム機の拡大正面図である。
【図１１】本発明の変形例のソレノイド式始動口を備えた遊技盤の正面図である。
【図１２】本発明の変形例のソレノイド式始動口を備えたパチンコゲーム機に使用されるソレノイド式始動口の正面及び側面を示す図である。
【図１３】本発明の変形例の電動チューリップを備えた遊技盤の正面図である。
【図１４】従来のパチンコゲーム機の遊技領域を示した正面図である。
【符号の説明】
【００４３】
１      パチンコゲーム機
２      遊技盤
６      ハンドル
１１    遊技領域
１２    レール
１４    段差部
１５    返しゴム
１６    図柄表示装置
１８ａ  回転始動口
２５    中央ゲート
２６ａ  大入賞口
３０    特定入賞口
３５    ガイド部材
３７    板ばね
４０    ガイド部材
４２    板ばね
５０    ガイド部材
５０ａ  平板
６０    ガイド部材
６１    ソレノイド
６２    マイクロスイッチ
６３    プランジャ
６４    アーム
７０    ガイド部材
７１    第二のスライド部材
７２    第一のスライド部材
７５    リンク
【図１】
2007296398.tif 000003
【図２】
2007296398.tif 000004
【図３】
2007296398.tif 000005
【図４】
2007296398.tif 000006
【図５】
2007296398.tif 000007
【図６】
2007296398.tif 000008
【図７】
2007296398.tif 000009
【図８】
2007296398.tif 000010
【図９】
2007296398.tif 000011
【図１０】
2007296398.tif 000012
【図１１】
2007296398.tif 000013
【図１２】
2007296398.tif 000014
【図１３】
2007296398.tif 000015
【図１４】
2007296398.tif 000016